(57)【要約】      （修正有）【課題】棚板等で仕切られた空間全体を、効率的に脱臭することのできる収納装置を提供する。【解決手段】収納装置は、内部空間を有する箱本体１と、箱本体１を開閉する扉部２と、内部空間に配置される少なくとも一つの棚板３１と、内部空間に配置される送風ユニット４とを備える。各棚板３１は、閉状態の扉部２との間に所定距離ｄ１を隔てて位置する。内部空間は、各棚板３１で上下に仕切られる第一空間Ｓ１１と、第一空間Ｓ１１の前方に位置する第二空間Ｓ１２を含む。送風ユニット４は、箱本体１の天板１４に固定され、帯電微粒子水、イオンまたはオゾンを発生させて第二空間Ｓ１２に放出する。【選択図】図５
2020127804.tif 000002
【特許請求の範囲】
【請求項１】
内部空間とこれを前方に開放する開口とを有する箱本体と、
前記開口を開閉するように前記箱本体に取り付けられる扉部と、
前記内部空間に配置される少なくとも一つの棚板と、
前記内部空間に配置される送風ユニットと、を備え、
前記扉部は、
前記開口を開く開状態と、前記開口を閉じる閉状態との間で切替自在であり、
前記少なくとも一つの棚板は、
前記閉状態にある前記扉部との間に通風スペースを形成するように、前記扉部から所定距離だけ隔てて位置し、
前記内部空間は、
前記少なくとも一つの棚板によって上下に仕切られる第一空間と、
前記第一空間の前方に連通して位置し、前記通風スペースを通じて上下に通気可能な第二空間と、を含み、
前記送風ユニットは、
前記箱本体が有する天板と前記少なくとも一つの棚板のうちいずれかに固定され、かつ、帯電微粒子水、イオンまたはオゾンを発生させて前記第二空間に放出するように構成されており、
前記送風ユニットは、前記送風ユニットの外郭をなす箱型のケースを備え、
前記ケースの前面には、空気を吸引する吸気口と、前記吸気口を通じて吸引した前記空気を排出する排気口と、前記帯電微粒子水、イオンまたはオゾンを放出する放出口とが、それぞれ設けられており、
前記送風ユニットは、前記ケースに装着され、前記第二空間に位置する気流ガイドを、さらに備え、
前記気流ガイドは、前記排気口から排出される前記空気の流れの方向を、下方向または上方向に変更するように構成されている
ことを特徴とする収納装置。
【請求項２】
内部空間とこれを前方に開放する開口とを有する箱本体と、
前記開口を開閉するように前記箱本体に取り付けられる扉部と、
前記内部空間に配置される少なくとも一つの棚板と、
前記内部空間に配置される送風ユニットと、を備え、
前記扉部は、
前記開口を開く開状態と、前記開口を閉じる閉状態との間で切替自在であり、
前記少なくとも一つの棚板は、
前記閉状態にある前記扉部との間に通風スペースを形成するように、前記扉部から所定距離だけ隔てて位置し、
前記内部空間は、
前記少なくとも一つの棚板によって上下に仕切られる第一空間と、
前記第一空間の前方に連通して位置し、前記通風スペースを通じて上下に通気可能な第二空間と、を含み、
前記送風ユニットは、
前記箱本体が有する天板と前記少なくとも一つの棚板のうちいずれかに固定され、かつ、帯電微粒子水、イオンまたはオゾンを発生させて前記第二空間に放出するように構成されており、
前記送風ユニットは、前記送風ユニットの外郭をなす箱型のケースを備え、
前記ケースの前面には、空気を吸引する吸気口と、前記吸気口を通じて吸引した前記空気を排出する排気口と、前記帯電微粒子水、イオンまたはオゾンを放出する放出口とが、それぞれ設けられており、
前記送風ユニットは、前記ケースに装着される気流ガイドを、さらに備え、
前記気流ガイドは、前記排気口から排出される前記空気の流れの方向を、下方向または上方向に変更するように構成され、
前記気流ガイドは、前記吸気口の前方に位置する空間と、前記排気口と前記放出口の前方に位置する空間とを、左右に仕切る仕切部を備える
ことを特徴とする収納装置。
【請求項３】
前記内部空間に配置される少なくとも一つの縦仕切り板を、さらに備え、
前記少なくとも一つの縦仕切り板は、前記閉状態にある前記扉部との間に第二の通風スペースを形成するように、前記扉部から所定距離だけ隔てて位置し、
前記第一空間は、
前記少なくとも一つの棚板によって上下に仕切られ、かつ、前記少なくとも一つの縦仕切り板によって左右に仕切られ、
前記第二空間は、前記通風スペースを通じて上下に通気可能であり、かつ、前記第二の通風スペースを通じて左右に通気可能である
ことを特徴とする請求項１又は２に記載の収納装置。
【発明の詳細な説明】
【技術分野】
【０００１】
本発明は、収納装置に関し、詳しくは、箱本体に送風ユニットが配置された収納装置に関する。
【背景技術】
【０００２】
特許文献１には、イオン発生装置を備えた収納庫が提案されている。
【０００３】
この収納庫においては、衣類を吊り下げるように構成された収納空間の上部に、イオン発生装置が設置されている。イオン発生装置からは、イオンを含んだ空気が、下方にむけて放出される。これにより、収納空間の全体にイオンを行き渡らせ、脱臭を行うことができる。
【先行技術文献】
【特許文献】
【０００４】
【特許文献１】特開２０１３−８５８３０号公報
【発明の概要】
【発明が解決しようとする課題】
【０００５】
上述した従来の収納庫は、脱臭しようとする空間にむけてイオンを直接的に放出するように構成されているので、この空間が棚板等で仕切られていると、イオン発生装置から放出されたイオンが空間全体に行き渡り難くなる。つまり、棚板等で仕切られた空間全体に、脱臭の効果を及ぼすことが困難である。
【０００６】
本発明は、棚板等で仕切られた空間全体を、効率的に脱臭することのできる収納装置を提案することを、目的とする。
【課題を解決するための手段】
【０００７】
本発明に係る形態の収納装置は、内部空間とこれを前方に開放する開口とを有する箱本体と、前記開口を開閉するように前記箱本体に取り付けられる扉部と、前記内部空間に配置される少なくとも一つの棚板と、前記内部空間に配置される送風ユニットと、を備える。
【０００８】
前記扉部は、前記開口を開く開状態と、前記開口を閉じる閉状態との間で切替自在である。
【０００９】
前記少なくとも一つの棚板は、前記閉状態にある前記扉部との間に通風スペースを形成するように、前記扉部から所定距離だけ隔てて位置する。
【００１０】
前記内部空間は、前記少なくとも一つの棚板によって上下に仕切られる第一空間と、前記第一空間の前方に連通して位置し、前記通風スペースを通じて上下に通気可能な第二空間とを含む。
【００１１】
前記送風ユニットは、前記箱本体が有する天板と前記少なくとも一つの棚板のうちいずれかに固定され、かつ、帯電微粒子水、イオンまたはオゾンを発生させて前記第二空間に放出するように構成されている。
【発明の効果】
【００１２】
本発明の収納装置は、棚板等で仕切られた空間全体を、効率的に脱臭することができるという効果を奏する。
【図面の簡単な説明】
【００１３】
【図１】実施形態１の収納装置の扉を閉じた状態を示す斜視図である。
【図２】実施形態１の収納装置の扉を開けた状態を示す斜視図である。
【図３】実施形態１の収納装置の扉を閉じた状態を示す正面図である。
【図４】図３のＡ−Ａ線断面図である。
【図５】図４のＰ部拡大図である。
【図６】図３のＢ−Ｂ線断面図である。
【図７】実施形態１の収納装置が備える送風ユニットを示す斜視図である。
【図８】実施形態１の収納装置が備える送風ユニットの上カバーを外した状態を示す平面図である。
【図９】実施形態１の収納装置が備える送風ユニットの気流ガイドを移動させた状態を示す斜視図である。
【図１０】実施形態１の収納装置の気流ガイドと底カバーを外した状態を示す斜視図である。
【発明を実施するための形態】
【００１４】
図１〜図６には、実施形態１の収納装置を示している。本実施形態の収納装置は、たとえば建物の玄関に設置される収納装置であり、履物等の多様な物が収納可能である。本実施形態の収納装置は、他の用途にも用いることが可能である。
【００１５】
図中に示す前方向Ｄ１、後方向Ｄ２、左方向Ｄ３、右方向Ｄ４、上方向Ｄ５及び下方向Ｄ６は、収納装置が設置された状態を基準とした方向である。
【００１６】
本実施形態の収納装置は、内部空間Ｓ１を有する箱本体１と、箱本体１に取り付けられる扉部２と、内部空間Ｓ１を仕切る仕切り構造３とを備え、さらに送風ユニット４を備える。
【００１７】
箱本体１について、図１〜図６に基づいて説明する。
【００１８】
箱本体１は、背板１１、左側の側板１２、右側の側板１３、天板１４及び底板１５を備える。
【００１９】
背板１１は、平面視矩形状の部材であり、建物の壁面９に接触または近接して設置される。
【００２０】
左側の側板１２と、右側の側板１３は、共に平面視矩形状の部材である。左側の側板１２の後端部は、背板１１の左端部に連結される。右側の側板１３の後端部は、背板１１の右端部に連結される。
【００２１】
左右一対の側板１２，１３は、互いに平行である。本文中で用いる「平行」は、厳密な意味での平行に限定されず、略平行な場合も含む。
【００２２】
天板１４は、平面視矩形状の部材であり、背板１１と左右一対の側板１２，１３によって、上方に支持される。天板１４の後端部は、背板１１の上端部に連結される。天板１４の左端部は、左側の側板１２の上端部に連結される。天板１４の右端部は、右側の側板１３の上端部に連結される。
【００２３】
底板１５は、平面視矩形状の部材であり、天板１４と平行に位置する。底板１５の後端部は、背板１１の下端部に連結される。底板１５の左端部は、左側の側板１２の下端部に連結される。底板１５の右端部は、右側の側板１３の下端部に連結される。
【００２４】
箱本体１には、内部空間Ｓ１と開口１０（図２参照）が形成される。内部空間Ｓ１は、背板１１、左側の側板１２、右側の側板１３、天板１４及び底板１５で囲まれた空間である。開口１０は、内部空間Ｓ１を前方向Ｄ１（以下、単に「前方」という。）に開放する。
【００２５】
扉部２について、図１、図２に基づいて説明する。
【００２６】
扉部２は、左側の扉２１と、右側の扉２２で構成される。左右一対の扉２１，２２は、共に二つ折りの折り戸である。
【００２７】
図１には、扉部２の閉状態を示している。図１に示すように、左右一対の扉２１，２２がフラットに並んだ状態が、扉部２の閉状態である。閉状態の扉部２によって、開口１０が閉じられる。
【００２８】
図２には、扉部２の開状態を示している。図２に示すように、左右一対の扉２１，２２が二つ折りになった状態で、開口１０が開かれる。一対の扉２１，２２のうち一方が二つ折りになった状態でも、開口１０はその一部が開かれる。
【００２９】
扉部２の構造として、他の構造も採用可能である。たとえば、一つの折れ戸で扉部２が構成されてよい。また、一つまたは複数の開き戸で扉部２が構成されてもよいし、一つまたは複数の引戸で扉部２が構成されてもよい。
【００３０】
仕切り構造３について、説明する。
【００３１】
仕切り構造３は、内部空間Ｓ１に配置される複数の棚板３１と、内部空間Ｓ１に配置される一つの縦仕切り板３２とを含む。
【００３２】
本実施形態の収納装置では、一つの縦仕切り板３２が、内部空間Ｓ１の左右方向の中央部分に配置され、縦仕切り板３２によって仕切られる左右の空間が、それぞれ複数の棚板３１によって上下に仕切られる。
【００３３】
なお、仕切り構造３は、少なくとも一つの棚板３１を含んだ構造であればよく、他の構造も採用可能である。たとえば、内部空間Ｓ１に一つの棚板３１が配置されるだけの構造でもよいし、内部空間Ｓ１に複数の棚板３１が配置されるだけの構造でもよい。
【００３４】
また、内部空間Ｓ１に一つの縦仕切り板３２が配置され、縦仕切り板３２によって仕切られる左右の空間の一方だけが、少なくとも一つの棚板３１で上下に仕切られる構造でもよい。
【００３５】
また、内部空間Ｓ１に複数の縦仕切り板３２が配置され、これら複数の縦仕切り板３２によって左右に仕切られた空間の全てまたは一部が、少なくとも一つの棚板３１で上下に仕切られる構造でもよい。
【００３６】
本実施形態の収納装置において、内部空間Ｓ１は、仕切り構造３が位置する第一空間Ｓ１１と、仕切り構造３が位置しない第二空間Ｓ１２とを含む（図４参照）。第二空間Ｓ１２は、第一空間Ｓ１１に連通する空間であり、第一空間Ｓ１１の前方に位置する。
【００３７】
図４に示すように、扉部２が閉状態にあるとき、扉部２と第一空間Ｓ１１の間に、第二空間Ｓ１２が位置する。つまり、閉状態にある扉部２と、仕切り構造３によって空気の流通が阻害される第一空間Ｓ１１との間に、全体に亘って空気が流動することのできる第二空間Ｓ１２が位置する。
【００３８】
閉状態にある扉部２と、仕切り構造３に含まれる各棚板３１とは、前後方向に所定距離ｄ１を隔てて位置する（図５参照）。所定距離ｄ１は、５［ｃｍ］程度である。所定距離ｄ１は、４［ｃｍ］以上で設定されることが好ましく、より詳しくは、４〜８［ｃｍ］の範囲内で設定されることが好ましい。
【００３９】
各棚板３１の前端と扉部２の間には、前後方向に所定距離ｄ１だけスペースが形成される。このスペースが、第二空間Ｓ１２において空気が上下に流動することを可能とする通風スペースＳ１２１である。第二空間Ｓ１２は、これら通風スペースＳ１２１を含む空間であるから、その全体に亘って空気が上下に流動可能である。
【００４０】
同様に、閉状態にある扉部２と、仕切り構造３に含まれる縦仕切り板３２とは、前後方向に所定距離ｄ２を隔てて位置する（図６参照）。所定距離ｄ２は、所定距離ｄ１と同じく５［ｃｍ］程度である。所定距離ｄ２は、４［ｃｍ］以上で設定されることが好ましく、より詳しくは、４〜８［ｃｍ］の範囲内で設定されることが好ましい。
【００４１】
本実施形態の収納装置では、所定距離ｄ１と所定距離ｄ２が同一であるが、所定距離ｄ１と所定距離ｄ２が相違してもよい。
【００４２】
縦仕切り板３２の前端と扉部２の間には、前後方向に所定距離ｄ２だけスペースが形成される。このスペースが、第二空間Ｓ１２において空気が左右に流動することを可能とする第二の通風スペースＳ１２２である。第二空間Ｓ１２は通風スペースＳ１２１を含む空間であるから、その全体に亘って空気が左右に流動可能である。
【００４３】
次に、送風ユニット４について、図７〜図１０に基づいて説明する。
【００４４】
送風ユニット４は、周囲の空気を吸い込み、その空気を外部にむけて排出することで、外部に気流を生じさせる機能を有する。さらに送風ユニット４は、外部に排出する空気に乗せて、帯電微粒子水を放出する機能を有する。
【００４５】
本実施形態の収納装置では、送風ユニット４が帯電微粒子水を放出する機能を備えるが、イオンを放出する機能を備えることや、オゾンを放出する機能を備えることや、帯電微粒子水、イオン及びオゾンのいずれか複数を放出する機能を備えることも可能である。
【００４６】
帯電微粒子水、イオン及びオゾンは、いずれも脱臭や除菌を行うことができる粒子であり、これらを気流に乗せて放出することで、内部空間Ｓ１の脱臭等が実現される。
【００４７】
送風ユニット４は、扁平な（つまり厚み方向の寸法が小さな）箱型のケース４０によって外郭が構成されたユニット本体４Ａと、ユニット本体４Ａに装着された気流ガイド４１とを備える（図７、図９等参照）。
【００４８】
まず、ケース４０によって外郭が構成されたユニット本体４Ａについて、説明する。
【００４９】
ケース４０の前面４０ａには、吸気口４２、排気口４３及び放出口４４がこの順に並んで位置する。前面４０ａは、ケース４０の外面のうち、ケース４０の厚み方向と直交する方向を向く平坦面である。本文中で用いる「平坦」は、厳密な意味での平坦に限定されず、略平坦な場合も含む。
【００５０】
前面４０ａは、長方形状の外形を有する。吸気口４２、排気口４３及び放出口４４は、前面４０ａの長手方向に沿って、この順に並んで位置する。
【００５１】
送風ユニット４が箱本体１に固定された状態において、ケース４０の厚み方向は、収納装置の上下方向（上方向Ｄ５及び下方向Ｄ６）に平行である。ケース４０の前面４０ａは、前方を向いて位置する。前面４０ａは、左右方向（左方向Ｄ３及び右方向Ｄ４）に長い外形を有する。
【００５２】
ケース４０の上下方向（厚み方向）の寸法は、たとえば５．５[ｃｍ]である。ケース４０の上下方向の寸法は、４〜８[ｃｍ]の範囲内であることが好ましく、４〜６[ｃｍ]の範囲内であることがさらに好ましい。
【００５３】
ケース４０の左右方向の寸法は、たとえば３３[ｃｍ]であり、ケース４０の前後方向の寸法は、たとえば２２．５[ｃｍ]である。ケース４０の左右方向の寸法と前後方向の寸法は、いずれも１６〜４０[ｃｍ]の範囲内であることが好ましい。また、ケース４０の左右方向の寸法は、前後方向の寸法よりも大きいことが好ましい。
【００５４】
送風ユニット４は、ケース４０内に、吸気口４２と排気口４３を連通させる空気流路４５と、空気流路４５内に配置される送風ファン４６を備える（図８参照）。送風ファン４６はシロッコファンである。送風ファン４６が駆動されることで、吸気口４２から排気口４３に向かう気流が発生する。
【００５５】
送風ユニット４は、空気流路４５のうち吸気口４２と送風ファン４６の間に、ブロック状のフィルター４７を備える。フィルター４７は、活性炭と触媒がブレンドして担持されたハニカム構造の脱臭フィルターに、除塵フィルターを一体化させたものである。
【００５６】
フィルター４７の周囲には、スポンジ状のテープが巻き付けられていることが好ましい。これにより、フィルター４７の交換時に作業者の手が汚れにくくなる。
【００５７】
このフィルター４７の代わりに、除塵フィルターと脱臭フィルターを別体で備えることも可能である。
【００５８】
さらに送風ユニット４は、ケース４０内に、帯電微粒子水を発生させる発生装置４８を備える。
【００５９】
本実施形態の発生装置４８は、帯電微粒子水を発生させる静電霧化装置である。発生装置４８として、イオンを発生させるイオン発生装置や、オゾンを発生させるオゾン発生装置を備えることも可能である。また、発生装置４８として、帯電微粒子水、イオン及びオゾンのいずれか複数を発生させる装置を備えることも可能である。
【００６０】
本実施形態の発生装置４８を構成する静電霧化装置は、放電電極に水を保持させた状態で該放電電極に電圧を印加し、放電電極が保持する水を静電霧化することで、ヒドロキシラジカル、スーパーオキサイド等の活性種を含んだ帯電微粒子水を発生させる。ここで発生する帯電微粒子水は、ナノメートルサイズ（たとえば５〜２０ｎｍ程度）の粒子径のものを含む。
【００６１】
発生装置４８で発生した帯電微粒子水は、ケース４０の放出口４４を通じて前方に放出される。前方に放出された帯電微粒子水は、放出口４４に隣接する排気口４３から前方に放出される気流に乗って、外部空間に拡散される。
【００６２】
本実施形態の送風ユニット４は、ケース４０の前面４０ａに、さらに操作部４９１と表示部４９２を備える。操作部４９１は、送風ファン４６と発生装置４８の少なくとも一方を操作する部分である。操作部４９１を操作することで、たとえば送風ファン４６や発生装置４８のオンオフを切り替えることや、送風ファン４６が生じさせる気流の風量を切り替えることや、発生装置４８で発生させる帯電微粒子水の量を切り替えることが可能である。
【００６３】
表示部４９２は、送風ファン４６と発生装置４８の少なくとも一方の駆動状態を表示する部分である。表示部４９２は、送風ファン４６や発生装置４８の駆動のオンオフや、送風ファン４６が生じさせる気流の風量や、発生装置４８が発生させる帯電微粒子水の量を、点灯、点滅等の手段で表示する。
【００６４】
次に、気流ガイド４１について説明する。
【００６５】
気流ガイド４１は、前面４０ａの前方を覆うようにケース４０に装着され（図７、図８参照）、排気口４３から吹き出される空気の流れの方向をガイドする機能を有する。
【００６６】
気流ガイド４１は、ガイド部４１１と仕切部４１２を、一体に備える。
【００６７】
ガイド部４１１は、排気口４３を通じて前方に排出された気流の向きを、前面４０ａに平行な方向（下方向Ｄ６）に変更するように、側面視円弧状に形成されている。
【００６８】
仕切部４１２は、第一仕切板４１２１と第二仕切板４１２２とで構成される。第一仕切板４１２１は、吸気口４２の前方に位置する空間と、表示部４９２の前方に位置する空間とを、左右に仕切るように構成されている。第二仕切板４１２２は、表示部４９２の前方に位置する空間と、排気口４３と放出口４４の前方に位置する空間とを、左右に仕切るように構成されている。
【００６９】
言い換えれば、第一仕切板４１２１と第二仕切板４１２２で構成される仕切部４１２は、吸気口４２の前方に位置する空間と、排気口４３と放出口４４の前方に位置する空間とを、左右に仕切るように構成されている。
【００７０】
気流ガイド４１は、ケース４０の前面４０ａの前方を覆う位置（図７参照）と、ケース４０の前面４０ａの前方を開放する位置（図９参照）との間で、移動自在である。通常の使用時には、気流ガイド４１の図７の位置にセットし、気流ガイド４１で気流をガイドさせる。フィルター４７を交換するときには、交換作業が容易となるように、気流ガイド４１を前方にスライド移動させたうえで、下方に向けて回転させ、気流ガイド４１を図９の位置にまで退避させることで、前面４０ａの前方を開放させる。
【００７１】
気流ガイド４１がこのように移動するので、気流ガイド４１の前方に障害物（扉２１，２２のレール等）が存在する場合でも、この障害物が気流ガイド４１の移動の邪魔になることが抑えられる。
【００７２】
上記のように気流ガイド４１を移動可能に設けるため構造として、本実施形態では、図１０に示すように、気流ガイド４１が備える左右の側板部４１３に、それぞれ左右方向の内側に突出する突起部４１４と軸部４１５を備える。突起部４１４は角筒状であり、軸部４１５は丸筒状である。
【００７３】
ケース４０の左右の側面には、それぞれ突起部４１４が挿入される第一スライド溝４０１と、軸部４１５が挿入される第二スライド溝４０２を備える。
【００７４】
第一スライド溝４０１は、円弧状に形成された曲がり溝４０１１と、曲がり溝４０１１の一端から後方に延びる横溝４０１２と、曲がり溝４０１１の他端から下方に延びる縦溝４０１３とを含む。縦溝４０１３は下方に開口しており、縦溝４０１３の下端部には、抜け止め用の突起４０１４が設けられている。
【００７５】
第二スライド溝４０２は、前後方向に一直線状に延びる横溝４０２１と、横溝４０２１の前端から下方に延びる縦溝４０２２とを含んだ、Ｌ字状の溝である。縦溝４０２２は下方に開口しており、縦溝４０２２の下端部には、抜け止め用の突起４０２３が設けられている。
【００７６】
第二スライド溝４０２のＬ字状の角部分には、突起状の軸受部４０２４が設けられている。軸受部４０２４は、気流ガイド４１の軸部４１５を回転自在に支持するための部分である。
【００７７】
気流ガイド４１をケース４０に装着する手順は、以下のとおりである。
【００７８】
まず、気流ガイド４１を図１０に示す姿勢で保持し、突起部４１４を第一スライド溝４０１の縦溝４０１３に突起４０１４を超えて挿入し、軸部４１５を第二スライド溝４０２の縦溝４０２２に突起４０２３を超えて挿入する。
【００７９】
次いで、気流ガイド４１を上方にスライド移動させ、軸部４１５と軸受部４０２４を嵌め合せることで、気流ガイド４１をケース４０に回転自在に支持させる。この状態で、気流ガイド４１の下端部を前斜め上方に持ち上げるように気流ガイド４１を回転させ、その後、気流ガイド４１を後方にスライド移動させることで、気流ガイド４１を、ケース４０の前面４０ａを覆う位置にセットすることができる。
【００８０】
このとき、気流ガイド４１の突起部４１４が、第一スライド溝４０１の横溝４０１２に嵌り込むことで、気流ガイド４１は図７に示す姿勢でケース４０に保持される。
【００８１】
図７に示す位置の気流ガイド４１を、図９に示す位置に移動させるには、上記したように、気流ガイド４１を前方に引き出したうえで、軸部４１５を中心として下方に回転させればよい。図９に示す位置の気流ガイド４１を、さらに下方に引き出せば、気流ガイド４１を取り外すことも可能である。
【００８２】
本実施形態の収納装置において、ユニット本体４Ａは、箱本体１が備える天板１４の下面に、ビス等の固定具を用いて固定される（図１〜図５参照）。これにより、送風ユニット４が箱本体１に固定される。ユニット本体４Ａの固定に用いられたビス等の固定具は、ユニット本体４Ａの底部を構成する底カバー４０５（図１０参照）によって、隠される。
【００８３】
天板１４は、箱本体１の他の部材（背板１１、側板１２，１３等）に対して強固に固定されているので、天板１４に別途の補強を行わずとも、天板１４に対してユニット本体４Ａを固定することができる。
【００８４】
送風ユニット４が箱本体１に固定された状態において、ユニット本体４Ａは、その全体または大部分が、第一空間Ｓ１１の上端部に位置する。ユニット本体４Ａに装着される気流ガイド４１の主要部（ガイド部４１１及び仕切り部４１２）は、その全体または大部分が、第二空間Ｓ１２の上端部に位置する。
【００８５】
なお、送風ユニット４が固定される箇所は、箱本体１の天板１４に限定されず、箱本体１に設置された複数の棚板３１のうち少なくとも一つに固定されることも有り得る。この場合、送風ユニット４は、棚板３１の下面または上面に固定される。送風ユニット４が棚板３１に装着される場合、気流ガイド４１が、排気口４３から前方に排出された気流の向きを上方向Ｄ５に変更するように装着されることも有り得る。
【００８６】
送風ユニット４は扁平な形状であるから、送風ユニット４が天板１４と棚板１３のいずれに固定された場合も、送風ユニット４の存在によって使用者に圧迫感を与えることが抑えられ、空間Ｓ１内の収納量も確保される。
【００８７】
また、送風ユニット４に気流ガイド４１を備えないことも有り得る。この場合でも、排気口４３から前方に吐出された気流の向きは、閉状態にある扉部２の裏面に当たることで、ケース４０の前面４０ａに平行な方向（下方向Ｄ６）に変更される。
【００８８】
本実施形態の送風ユニット４は、扉部２が閉状態にあるときに、第二空間Ｓ１２の空気を上方向Ｄ５に向けて吸い込み、フィルター４７を通じて除塵及び脱臭したうえで、下方向Ｄ６に向けて排出する。送風ユニット４が稼働することで、第二空間Ｓ１２全体に、上下方向に沿った気流の流れが生じる。
【００８９】
さらに送風ユニット４は、下方向Ｄ６に向けて排出する気流に乗せて、帯電微粒子水を第二空間Ｓ１２に放出する。第二空間Ｓ１２に放出された帯電微粒子水は、第二空間Ｓ１２を長時間に亘って浮遊する。第二空間Ｓ１２で浮遊する帯電微粒子水は、第二空間Ｓ１２の全域に行き渡ったうえで、第一空間Ｓ１１において仕切り構造３で仕切られた各空間に、順次供給される。
【００９０】
つまり、本実施形態の収納装置においては、複数の棚板３１と縦仕切り板３２で仕切られた各空間に、帯電微粒子水を万遍なく行き渡らせることができ、各空間に収納された収納物を、効率的にかつ万遍なく脱臭することができる。
【００９１】
特に、本実施形態の収納装置では、活性炭と触媒を共に担持するフィルター４７を通じて空気の脱臭が行われ、ここで脱臭された気流に乗せて、第二空間Ｓ１２に帯電微粒子水が放出される。そのため、空気中を浮遊する臭気成分が除去されることに加えて、物質表面に付着する臭気成分も除去され、空間Ｓ１内の臭気成分が多様な形態で除去される。
【００９２】
また、本実施形態の収納装置では、帯電微粒子水による脱臭効果、殺菌効果に加えて、帯電微粒子水によって花粉抗原（アレル物質）、黴、菌、ウイルスのいずれかを不活性化する効果が得られる。
【００９３】
以上、添付図面に基づいて詳述したように、本実施形態の収納装置は、下記の構成を備える。
【００９４】
本実施形態の収納装置は、内部空間Ｓ１とこれを前方に開放する開口１０とを有する箱本体１と、開口１０を開閉するように箱本体１に取り付けられる扉部２と、内部空間Ｓ１に配置される棚板３１と、内部空間Ｓに配置される送風ユニット４とを備える。棚板３１は少なくとも一つであればよい。
【００９５】
扉部２は、開口１０を開く開状態と、開口１０を閉じる閉状態との間で切替自在である。
【００９６】
棚板３１は、閉状態にある扉部２との間に通風スペースＳ１２１を形成するように、扉部２から所定距離ｄ１だけ隔てて位置する。
【００９７】
内部空間Ｓ１は、棚板３１によって上下に仕切られる第一空間Ｓ１１と、第一空間Ｓ１１の前方に連通して位置し、通風スペースＳ１２１を通じて上下に通気可能な第二空間Ｓ１２とを含む。
【００９８】
送風ユニット４は、箱本体１が有する天板１４に固定され、かつ、帯電微粒子水を発生させて第二空間Ｓ１２に放出するように構成されている。送風ユニット４は、天板１４と棚板３１のうちいずれかに固定すればよい。送風ユニット４は、帯電微粒子水、イオンまたはオゾンを発生させて放出するものであればよい。
【００９９】
本実施形態の収納装置は、上記構成を備えるので、送風ユニット４で発生させた帯電微粒子水が、上下に通気可能な第二空間Ｓ１２にまず放出され、気流に乗って第二空間Ｓ１２全体に行き渡ったうえで、第二空間Ｓ１２と連通する第一空間Ｓ１１に順次供給される。これにより、棚板３１で仕切られた第一空間Ｓ１１の各空間に、帯電微粒子水が万遍なく供給され、帯電微粒子水による脱臭効果、殺菌効果等が得られる。送風ユニット４からイオンまたはオゾンを発生させて放出する場合も、同様の効果が得られる。
【０１００】
また、本実施形態の収納装置は、付加的な構成として、下記の構成を備える。
【０１０１】
本実施形態の収納装置において、送風ユニット４は、送風ユニット４の外郭をなす箱型のケース４０を備える。ケース４０の前面４０ａには、空気を吸引する吸気口４２と、吸気口４２を通じて吸引した空気を排出する排気口４３と、帯電微粒子水を放出する放出口４４とが、それぞれ設けられる。放出口４４から、イオンまたはオゾンを放出することも可能である。
【０１０２】
したがって、本実施形態の収納装置によれば、排気口４３から排出した空気で形成された気流に、放出口４４から放出した帯電微粒子水を載せることができ、この気流に放出口４４が直接的に晒されることは抑えられる。そのため、放出口４４への汚れの付着が抑えられ、放出口４４が前面４０ａに位置するためにメンテナンスも容易である。放出口４４からイオンまたはオゾンを放出する場合も、同様の効果が得られる。
【０１０３】
また、本実施形態の収納装置は、付加的な構成として、下記の構成を備える。
【０１０４】
本実施形態の収納装置において、ケース４０の前面４０ａには、吸気口４２、排気口４３および放出口４４が、この順に並んで位置する。
【０１０５】
したがって、本実施形態の収納装置によれば、放出口４４から放出された帯電微粒子水が、放出されてすぐに吸気口４２に吸い込まれてしまうことが、抑えられる。そのため、電微粒子水を第二空間Ｓ１２に効率的に供給することができる。放出口４４からイオンまたはオゾンを放出する場合も、同様の効果が得られる。
【０１０６】
また、本実施形態の収納装置は、付加的な構成として、下記の構成を備える。
【０１０７】
本実施形態の収納装置において、送風ユニット４は、ケース４０に装着される気流ガイド４１を、さらに備える。気流ガイド４１は、排気口４３から排出される空気の流れの方向を、下方向Ｄ６に変更するように構成されている。気流ガイド４１は、排気口４３から排出される空気の流れの方向を、上方向Ｄ５に変更するように構成されてもよい。
【０１０８】
したがって、本実施形態の収納装置によれば、送風ユニット４から放出される空気によって、第二空間Ｓ１２に、上下方向に沿った気流を円滑に発生させることができ、この気流に乗せて、帯電微粒子水を効率的に供給することができる。放出口４４からイオンまたはオゾンを放出する場合も、同様の効果が得られる。
【０１０９】
また、本実施形態の収納装置は、付加的な構成として、下記の構成を備える。
【０１１０】
本実施形態の収納装置は、内部空間Ｓ１に配置される縦仕切り板３２を、さらに備える。縦仕切り板３２は、内部空間Ｓ１に少なくとも一つ配置されればよい。
【０１１１】
縦仕切り板３２は、閉状態にある扉部２との間に第二の通風スペースＳ１２２を形成するように、扉部２から所定距離ｄ２だけ隔てて位置する。
【０１１２】
第一空間Ｓ１１は、棚板３１によって上下に仕切られ、かつ、縦仕切り板３２によって左右に仕切られる。第二空間Ｓ１２は、通風スペースＳ１２１を通じて上下に通気可能であり、かつ、第二の通風スペースＳ１２２を通じて左右に通気可能である。
【０１１３】
したがって、本実施形態の収納装置では、送風ユニット４から放出された帯電微粒子水が、上下と左右に通気可能な第二空間Ｓ１２にまず放出され、気流に乗って第二空間Ｓ１２全体に行き渡ったうえで、第二空間Ｓ１２と連通する第一空間Ｓ１１に順次供給される。これにより、上下左右に仕切られた第一空間Ｓ１１の各空間に、帯電微粒子水が万遍なく供給され、帯電微粒子水による脱臭効果、殺菌効果等が得られる。送風ユニット４からイオンまたはオゾンを発生させて放出する場合も、同様の効果が得られる。
【０１１４】
以上、実施形態について説明したが、収納装置は前記した実施形態に限定されず、適宜の設計変更を行うことが可能である。
【符号の説明】
【０１１５】
１        箱本体
１０      開口
１４      天板
２        扉部
３１      棚板
３２      縦仕切り板
４        送風ユニット
４０      ケース
４０ａ    前面
４１      気流ガイド
４２      吸気口
４３      排気口
４４      放出口
Ｄ１      前方向
Ｄ５      上方向
Ｄ６      下方向
Ｓ１      内部空間
Ｓ１１    第一空間
Ｓ１２    第二空間
Ｓ１２１  通風スペース
Ｓ１２２  第二の通風スペース
【図１】
2020127804.tif 000003
【図２】
2020127804.tif 000004
【図３】
2020127804.tif 000005
【図４】
2020127804.tif 000006
【図５】
2020127804.tif 000007
【図６】
2020127804.tif 000008
【図７】
2020127804.tif 000009
【図８】
2020127804.tif 000010
【図９】
2020127804.tif 000011
【図１０】
2020127804.tif 000012